(57)【特許請求の範囲】
【請求項１】
屋上、バルコニー等の構造物に防水シートを敷設する防水シートの敷設方法において、前記防水シートの下に更に保護シートを敷設し、前記保護シートを前記構造物の床面から壁面にわたって連続して立ち上げて設置し、前記保護シートと前記構造物に設置されたドレイン部材とに跨って防水性部材を設置することにより、前記保護シートを前記ドレイン部材に連結させることを特徴とする防水シートの敷設方法。
【請求項２】
請求項１に記載された防水シートの敷設方法であって、前記保護シートを前記防水シートを敷設すべき構造物に箱状に設置することを特徴とする防水シートの敷設方法。
【請求項３】
請求項１又は請求項２のいずれかに記載された防水シートの敷設方法であって、前記保護シートの端部を前記床面に敷設すべき防水シートよりも上方にまで達するように設置し、前記床面に敷設すべき防水シートを前記保護シート内に敷設することを特徴とする防水シートの敷設方法。
【請求項４】
請求項１乃至請求項３のいずれかに記載された防水シートの敷設方法であって、前記防水シートを、床材を介さずに前記保護シートの上に敷設することを特徴とする防水シートの敷設方法。
【請求項５】
請求項１乃至請求項４のいずれかに記載された防水シートの敷設方法であって、裏面にシール材が取り付けられたシート接合部材又は前記ドレイン部材のフランジ部を前記保護シート上に設置し、前記シート接合部材又は前記ドレイン部材のフランジ部に固定具を貫通させて前記シート接合部材又は前記ドレイン部材のフランジ部を前記シール材を介して前記構造物に押しつけることにより、前記保護シートを前記構造物に固定することを特徴とする防水シートの敷設方法。
【請求項６】
請求項５に記載された防水シートの敷設方法であって、前記防水シートを、前記シート接合部材の表面に溶着、融着又は接着することにより前記シート接合部材に接合することを特徴とする防水シートの敷設方法。
【請求項７】
請求項１乃至請求項６のいずれかに記載された防水シートの敷設方法であって、前記保護シートとして、溶剤、熱、超音波による溶着、融着が可能な防水性を有するシート又は接着剤若しくはテープにより相互に連結できるシートを使用することを特徴とする防水シートの敷設方法。
【請求項８】
請求項１乃至請求項７のいずれかに記載された防水シートの敷設方法であって、前記保護シートの少なくとも保護シート同士の重畳部分となる片面を、溶剤、熱、超音波による溶着、融着が可能な材質で被覆又は形成することを特徴とする防水シートの敷設方法。
【請求項９】
請求項１乃至請求項８のいずれかに記載された防水シートの敷設方法であって、前記保護シートとして、厚みが０．１ｍｍ以上２．０ｍｍ以下のものを使用することを特徴とする防水シートの敷設方法。
【請求項１０】
屋上、バルコニー等の構造物に防水シートを敷設した防水構造において、前記防水シートの下に更に敷設された保護シートを備え、前記保護シートは、前記構造物の床面から壁面にわたって連続して立ち上げて設置され、前記保護シートと前記構造物に設置されたドレイン部材とに跨って設置された防水性部材により、前記保護シートと前記ドレイン部材とが連結されていることを特徴とする防水構造。
【請求項１１】
請求項１０に記載された防水構造であって、前記保護シートは前記防水シートを敷設すべき構造物に箱状に設置されていることを特徴とする防水構造。
【請求項１２】
請求項１０又は請求項１１のいずれかに記載された防水構造であって、前記保護シートの端部は前記床面に敷設すべき防水シートよりも上方にまで達するように設置され、前記床面に敷設すべき防水シートは前記保護シート内に敷設されていることを特徴とする防水構造。
【請求項１３】
請求項１０乃至請求項１２のいずれかに記載された防水構造であって、前記防水シートは、床材を介さずに前記保護シートの上に敷設されていることを特徴とする防水構造。
【請求項１４】
請求項１０乃至請求項１３のいずれかに記載された防水構造であって、前記防水構造は、前記保護シート上に設置されるシート接合部材又は前記ドレイン部材のフランジ部も備え、前記シート接合部材又は前記ドレイン部材のフランジ部は、裏面にシール材が取り付けられ、前記シート接合部材又は前記ドレイン部材のフランジ部が前記シート接合部材又は前記ドレイン部材のフランジ部を貫通する固定具により前記シール材を介して前記構造物に押しつけられることにより、前記保護シートが前記構造物に固定されていることを特徴とする防水構造。
【請求項１５】
請求項１４に記載された防水構造であって、前記防水シートは、前記シート接合部材の表面に溶着、融着又は接着されて前記シート接合部材に接合されていることを特徴とする防水構造。
【請求項１６】
請求項１０乃至請求項１５のいずれかに記載された防水構造であって、前記保護シートは、溶剤、熱、超音波による溶着、融着が可能な防水性を有するシート又は接着剤若しくはテープにより相互に連結できる防水性シートであることを特徴とする防水構造。
【請求項１７】
請求項１０乃至請求項１６のいずれかに記載された防水構造であって、前記保護シートの少なくとも保護シート同士の重畳部分となる片面が、溶剤、熱、超音波による溶着、融着が可能な材質で被覆又は形成されていることを特徴とする防水構造。
【請求項１８】
請求項１０乃至請求項１７のいずれかに記載された防水構造であって、前記保護シートは、厚みが０．１ｍｍ以上２．０ｍｍ以下であることを特徴とする防水構造。
【発明の詳細な説明】
【技術分野】
【０００１】
本発明は、ビル等の屋上等の構造物に、シート接合部材を介する等して防水シートを敷設する防水シートの敷設方法、及び、そのような方法により防水シートが敷設された防水構造の改良に関し、特に、防水シートに亀裂、破損等が生じた場合にも構造物への漏水を防止することに関するものである。
【背景技術】
【０００２】
例えば、オフィスビルや学校等の屋上、バルコニー、ベランダ等の風雨に曝される構造物に防水施工する場合には、防水シートを下地となる構造物の躯体には直接は接着しないことにより、躯体の亀裂や振動、目地の挙動等の影響を受けることが少なく、地震等の際にも防水性を確保することができる、いわゆる絶縁工法（機械式固定工法）が採用されることがある。
【０００３】
この工法においては、表面に防水シートと同質の合成樹脂が被覆された鋼板等から成るシート接合部材を使用し、構造物の躯体のうち、床面から壁面にかけての立ち上がり部や入隅部、出隅部等には、例えば帯状の形状を有するシート接合部材を設置し、これらの入隅部等以外の箇所においては、例えばディスク状の形状を有するシート接合部材を所定のピッチで設置して、これらのシート接合部材を釘等の固定具で躯体に取付け、その後、これらのシート接合部材上から防水シートを敷設して、所要のシート接合部材に防水シートを溶着させて接合することにより、防水シートを、シート接合部材を介して構造物の躯体に固定する（例えば、特許文献１、２等参照）。
【０００４】
しかし、防水シートをシート接合部材に接合しても、長期間が経過すると、経年劣化や外気温の変化、風圧による伸縮等を原因とする疲労により、防水シートに亀裂や破損が生じる場合がある。この場合、従来は、防水シートが、シート接合部材に接合されている箇所を除いては、構造物の躯体や、構造物上に設置された断熱材の上に直接敷設されていたため、亀裂や破損が生じた箇所から構造物の躯体や断熱材、更には場合によっては室内にまで漏水するおそれがあった。
【０００５】
この問題を解決するためには、防水シートを上記シート接合部材に接合した構造を二重に設置することが考えられる。しかし、これでは、従来の２倍の量の作業や部材を必要とするため、手間を要するとともに、コストが嵩む問題がある。
【０００６】
この点、防水シートの下において断熱材を挟んで雨水を排出する樋を二重構造として一次樋と二次樋の各々を排水管に直接接続して、防水シートに亀裂等が生じても二次樋によって排水することも提案されている（例えば、特許文献３、４等参照）。しかし、この構造は、複雑であるが故に、設置の手間とコストが嵩むことには変わりがなく、また、断熱材への浸水は回避することができない問題がある。
【先行技術文献】
【特許文献】
【０００７】
【特許文献１】特開平８−２４６６０９号公報
【特許文献２】特開２００４−４４１５８号公報
【特許文献３】特開２００７−２２４５６３号公報
【特許文献４】特開２００７−２３１５６１号公報
【発明の概要】
【発明が解決しようとする課題】
【０００８】
本発明が解決しようとする課題は、上記の問題点に鑑み、防水シートに亀裂や破損が生じても、手間やコストを要することなく、構造物や床材、室内への漏水を防止することができる防水シートの敷設方法及びそのような方法により設置された防水構造を提供することにある。
【課題を解決するための手段】
【０００９】
（１．防水シートの敷設方法）
本発明は、上記の課題を解決するための第１の手段として、屋上、バルコニー等の構造物に防水シートを敷設する防水シートの敷設方法において、防水シートの下に更に保護シートを敷設し、この保護シートを構造物の床面から壁面にわたって連続して立ち上げて設置し、保護シートと構造物に設置されたドレイン部材とに跨って防水性部材を設置することにより、保護シートをドレイン部材に連結させることを特徴とする防水シートの敷設方法を提供するものである。
【００１０】
本発明は、上記の課題を解決するための第２の手段として、上記第１の解決手段において、保護シートを防水シートを敷設すべき構造物に箱状に設置することを特徴とする防水シートの敷設方法を提供するものである。
【００１１】
本発明は、上記の課題を解決するための第３の手段として、上記第１又は第２のいずれかの解決手段において、保護シートの端部を床面に敷設すべき防水シートよりも上方にまで達するように設置し、床面に敷設すべき防水シートを保護シート内に敷設することを特徴とする防水シートの敷設方法を提供するものである。
【００１２】
本発明は、上記の課題を解決するための第４の手段として、上記第１乃至第３のいずれかの解決手段において、防水シートを、床材を介さずに保護シートの上に敷設することを特徴とする防水シートの敷設方法を提供するものである。
【００１３】
本発明は、上記の課題を解決するための第５の手段として、上記第１乃至第４のいずれかの解決手段において、裏面にシール材が取り付けられたシート接合部材又はドレイン部材のフランジ部を保護シート上に設置し、このシート接合部材又はドレイン部材のフランジ部に固定具を貫通させてシート接合部材又はドレイン部材のフランジ部をシール材を介して構造物に押しつけることにより、保護シートを構造物に固定することを特徴とする防水シートの敷設方法を提供するものである。
【００１４】
本発明は、上記の課題を解決するための第６の手段として、上記第５の解決手段において、防水シートを、シート接合部材の表面に溶着、融着又は接着することによりシート接合部材に接合することを特徴とする防水シートの敷設方法を提供するものである。
【００１５】
本発明は、上記の課題を解決するための第７の手段として、上記第１乃至第６のいずれかの解決手段において、保護シートとして、溶剤、熱、超音波による溶着、融着が可能な防水性を有するシート又は接着剤若しくはテープにより相互に連結できるシートを使用することを特徴とする防水シートの敷設方法を提供するものである。
【００１６】
本発明は、上記の課題を解決するための第８の手段として、上記第１乃至第７のいずれかの解決手段において、保護シートの少なくとも保護シート同士の重畳部分となる片面を、溶剤、熱、超音波による溶着、融着が可能な材質で被覆又は形成することを特徴とする防水シートの敷設方法を提供するものである。
【００１７】
本発明は、上記の課題を解決するための第９の手段として、上記第１乃至第８のいずれかの解決手段において、保護シートとして、厚みが０．１ｍｍ以上２．０ｍｍ以下のものを使用することを特徴とする防水シートの敷設方法を提供するものである。
【００１８】
（２．防水構造）
また、本発明は、上記第１乃至第９のいずれかの解決手段により設置された下記の防水構造をも提供するものである。すなわち、本発明は、上記の課題を解決するための第１０の手段として、屋上、バルコニー等の構造物に防水シートを敷設した防水構造において、防水シートの下に更に敷設された保護シートを備え、この保護シートは、構造物の床面から壁面にわたって連続して立ち上げて設置され、保護シートと構造物に設置されたドレイン部材とに跨って設置された防水性部材により、保護シートとドレイン部材とが連結されていることを特徴とする防水構造を提供するものである。
【００１９】
本発明は、上記の課題を解決するための第１１の手段として、上記第１０の解決手段において、保護シートは防水シートを敷設すべき構造物に箱状に設置されていることを特徴とする防水構造を提供するものである。
【００２０】
本発明は、上記の課題を解決するための第１２の手段として、上記第１０又は第１１のいずれかの解決手段において、保護シートの端部は防水シートよりも上方にまで達するように設置され、防水シートは保護シート内に敷設されていることを特徴とする防水構造を提供するものである。
【００２１】
本発明は、上記の課題を解決するための第１３の手段として、上記第１０乃至第１２のいずれかの解決手段において、防水シートは、床材を介さずに保護シートの上に敷設されていることを特徴とする防水構造を提供するものである。
【００２２】
本発明は、上記の課題を解決するための第１４の手段として、上記第１０乃至第１３のいずれかの解決手段において、防水構造は、保護シート上に設置されるシート接合部材又はドレイン部材のフランジ部も備え、シート接合部材又はドレイン部材のフランジ部は、裏面にシール材が取り付けられ、シート接合部材又はドレイン部材のフランジ部がシート接合部材又はドレイン部材のフランジ部を貫通する固定具によりシール材を介して構造物に押しつけられることにより、保護シートが構造物に固定されていることを特徴とする防水構造を提供するものである。
【００２３】
本発明は、上記の課題を解決するための第１５の手段として、上記第１４の解決手段において、防水シートは、シート接合部材の表面に溶着、融着又は接着されてシート接合部材に接合されていることを特徴とする防水構造を提供するものである。
【００２４】
本発明は、上記の課題を解決するための第１６の手段として、上記第１０乃至第１５のいずれかの解決手段において、保護シートは、溶剤、熱、超音波による溶着、融着が可能な防水性を有するシート又は接着剤若しくはテープにより相互に連結できる防水性シートであることを特徴とする防水構造を提供するものである。
【００２５】
本発明は、上記の課題を解決するための第１７の手段として、上記第１０乃至第１６のいずれかの解決手段において、保護シートの少なくとも保護シート同士の重畳部分となる片面が、溶剤、熱、超音波による溶着、融着が可能な材質で被覆又は形成されていることを特徴とする防水構造を提供するものである。
【００２６】
本発明は、上記の課題を解決するための第１８の手段として、上記第１０乃至第１７のいずれかの解決手段において、保護シートは、厚みが０．１ｍｍ以上２．０ｍｍ以下であることを特徴とする防水構造を提供するものである。
【発明の効果】
【００２７】
本発明によれば、上記のように、防水シートの下に更に保護シートを敷設し、この保護シートを構造物の床面から壁面にわたって連続して立ち上げて敷設しているため、例えば、防水シートに亀裂や破損等が生じても、その下に敷設された保護シートにより構造物や室内への漏水を防止することができる実益がある。
【００２８】
本発明によれば、上記のように、保護シートを防水シートを敷設すべき構造物に箱状に設置しているため、防水シートのうち、防水シート同士の接着、溶着部分等に亀裂や破損等が生じても、また特に、構造物の床面から壁面にかけての立ち上がり部や入隅部、出隅部に亀裂や破損等が生じても、保護シートが受け皿となって構造物や室内への漏水を防止することができる実益がある。
【００２９】
本発明によれば、上記のように、保護シートを構造物に設置されたドレイン部材に連結させているため、何らかの原因で防水シートの下側に漏洩した雨水も保護シートを介して排水管へ排水することができ、特に、この保護シートを、保護シートとドレイン部材とに跨って防水テープ等の防水性部材を設置することによりドレイン部材に連結しているため、構造物内に雨水を浸入させることなく確実にドレイン部材に排出することができる実益がある。
【００３０】
本発明によれば、上記のように、保護シートの端部を床面に敷設すべき防水シートよりも上方にまで達するように設置し、床面に敷設すべき防水シートを保護シート内に敷設しているため、防水シートのいずれの箇所から雨水が漏洩しても、保護シートが受け皿となって構造物等への漏水を確実に防止することができる実益がある。
【００３１】
本発明によれば、上記のように、防水シートを、床材を介さずに保護シートの上に、すなわち、防水シートを保護シートの上に直接敷設している（シート接合部材に接合した箇所を除き、防水シートの直下に保護シートを敷設している）ため、構造物のみならず、例えば、断熱材等の床材への漏水も防止することができ、これらの床材への影響も抑制することができる実益がある。
【００３２】
本発明によれば、上記のように、裏面にシール材が取り付けられたシート接合部材等を保護シート上に設置し、このシート接合部材等に固定具を貫通させてシート接合部材等をシール材を介して構造物に押しつけているため、シール材によって固定具が貫通する穿孔部からの漏水も防止することができ、防水性をより高めることができるとともに、従来からの機械式固定工法とほぼ変わらぬ工程数、部材数で防水性を高めることができ、手間とコストを嵩張らせることなく簡易に防水性を高めることができる実益がある。
【００３３】
本発明によれば、上記のように、防水シートを、シート接合部材の表面に溶着、融着又は接着することによりシート接合部材に接合しているため、躯体の亀裂や振動、目地の挙動等の影響を受けることが少なく、地震等の際にも防水性を確保することができる実益がある。
【００３４】
本発明によれば、上記のように、保護シートとして、防水性を有するシートを使用しているため、構造物等への漏水を防止することができるのはもちろんのこと、溶剤、熱、超音波による溶着、融着が可能で、接着剤、テープ又は熱により相互に連結できるシートを使用しているため、設置現場での保護シートの敷設作業を、従来と同様の作業で簡易に行うことができる実益がある。
【００３５】
本発明によれば、上記のように、保護シートの少なくとも保護シート同士の重畳部分となる片面を、例えば、ポリエチレン、ポリ塩化ビニル等の、溶剤、熱、超音波による溶着、融着が可能な材質で被覆又は形成しているため、保護シート同士の融着、溶着を簡易に行うことができるのは勿論のこと、設置現場での折り曲げや切断等の加工も容易になるとともに、床面から壁面のかけての立ち上がり部や入隅部、出隅部への追従性にも優れるため、表面の防水シートに皺や弛みが生ずるのを防止して、防水性を高めつつ良好な外観を維持することができる実益がある。
【００３６】
本発明によれば、上記のように、保護シートとして、厚みが０．１ｍｍ以上２．０ｍｍ以下のものを使用しているため、取扱い性や、仕上げ寸法、外観に大きな影響を与えることがない一方で、容易に破損等することがなく、確実に防水性を高めることができる実益がある。
【図面の簡単な説明】
【００３７】
【図１】本発明の防水構造の概略断面図である。
【図２】本発明に用いられるドレイン部材のフランジ部の拡大断面図である。
【図３】本発明に用いられるシート接合部材の拡大断面図である。
【発明を実施するための形態】
【００３８】
本発明の実施の形態を図面を参照しながら詳細に説明すると、図１乃至図３は、本発明の防水構造１０及びこの防水構造１０を設置するための防水シート１２の敷設方法を実施する状態を示し、この防水構造１０は、図１乃至図３に示すように、構造物１に防水シート１２を敷設して設置される。
【００３９】
この防水構造１０が設置される構造物１としては、特に限定はないが、例えば、オフィスビルや学校の校舎等の事業用の建造物や、マンション等の居住用の建造物の屋根やベランダ、バルコニー等を挙げることができ、本発明は、これらの防水性が要求される構造物１に適用することができる。
【００４０】
図示の実施の形態では、この防水シート１２は、構造物１の躯体上に敷設された断熱材２を介して構造物１に固定されたシート接合部材１４に接合されて敷設されており、防水シート１２を、構造物１の躯体や断熱材２に直に固定することなく、シート接合部材１４を介して固定することにより、躯体や断熱材２の亀裂や振動、目地の挙動（目地とは、構造物１の躯体や断熱材２同士の継ぎ目であり、この目地が地震や振動等で動くことをいう。）等の影響を受けることが少ない方法で敷設している。但し、この断熱材２やシート接合部材１４の有無や敷設方法には特に限定はなく、他の方法により防水シート１２を敷設することもできる。
【００４１】
（１．保護シートの敷設）
本発明においては、図１乃至図３に示すように、防水シート１２の下に更に保護シート１６を敷設する。この保護シート１６は、図１に示すように、構造物１の躯体上に設置された断熱材２上に敷設され、仮に何らかの原因で防水シート１２の亀裂や破損等が生じるようなことがあった場合でも、防水シート１２から漏洩した雨水が断熱材２や構造物１に雨水が浸入するのを防止している。従って、この保護シート１６は、防水性を備えていることが望ましい。
【００４２】
また、この保護シート１６として使用されるシートは、一般に、長尺の帯状に形成されているため、敷設箇所に合わせて複数用意し、これらの複数の保護シート１６を、端部を部分的に重畳させながら、構造物１の床面（図示の実施の形態では、断熱材２）上に敷き詰めていく。従って、この保護シート１６は、溶剤、熱、超音波による溶着、融着が可能なシート、又は、接着剤若しくはテープにより相互に連結できるシートを使用することが望ましい。これにより、保護シート１６同士の重畳部分を、敷設後に、あるいは、敷設と同時並行で、溶剤、熱、超音波等によって溶着、融着したり、又は、接着剤、テープにより相互に連結することにより、複数の保護シート１６を防水性を確保しながら敷設することができるとともに、特に、この作業が、防水シート１２一般の敷設作業とほぼ同様の作業であるため、設置現場での保護シート１６の敷設作業を、従来と同様の作業で簡易に行うことができる点でメリットがある。
【００４３】
また、特に、この場合、保護シート１６の少なくとも保護シート１６同士の重畳部分となる片面を、例えば、ポリエチレン、ポリ塩化ビニル等の、溶剤、熱、超音波による溶着、融着が可能な材質で被覆又は形成することが望ましい。これにより、保護シート１６同士の重畳部分の融着、溶着を簡易に行うことができるのは勿論のこと、設置現場での折り曲げや切断等の加工も容易に行うことができるとともに、ポリエチレン、ポリ塩化ビニル等は床面から壁面１ｂのかけての立ち上がり部や入隅部、出隅部への追従性にも優れるため、表面の防水シート１２に皺や弛みが生ずるのを防止して、防水性を高めつつ良好な外観を維持することができる。この保護シート１６同士の重畳部分となる面を被覆又は形成する材質としては、具体的には、ポリエチレン、ポリ塩化ビニル、エチレン酢酸ビニル共重合体、アクリル系ホットメルト系接着剤、ポリエステル系ホットメルト接着剤が好適なものとして挙げられる。なお、施工時の作業性を考慮すると、これらの溶剤、熱、超音波による溶着、融着が可能な材質は、保護シート１６の両面に被覆又は形成することが好ましい。
【００４４】
上記の保護シート１６としては、具体的には、ポリ塩化ビニル樹脂、ポリエチレン、ポリプロピレン等の防水性シート又は不織布から構成されたシート、また、これらシート内部又は表面にポリエステル等の繊維基材が介在されたクロスシート等を挙げることができる。また、住宅の床等のコンクリート養生時や、建物改修時等の床面マスキングのために使用されている養生シートも、軽量で、折曲げや切り取り加工も容易であり、防水性にも優れるため、特に好適なものとして挙げられる。これらの養生シートとしてはポリエチレン製のものを挙げることができる。なお、保護シート１６自体が、ポリエチレン、ポリ塩化ビニル等の溶剤、熱、超音波による溶着、融着が可能な材質以外の材質で形成されているときは、表面に上述したポリエチレン、ポリ塩化ビニル等の溶剤、熱、超音波による溶着、融着が可能な材質を被覆することにより、相互に連結可能とすることができる。
【００４５】
また、この保護シート１６の厚みは、０．１ｍｍ以上２．０ｍｍ以下の厚みに、より望ましくは、０．５ｍｍ以上１．５ｍｍ以下とすることが好適である。これにより、取扱い性や、仕上げ寸法、外観に大きな影響を与えることがない一方で、容易に破損等することがなく、確実に防水性を高めることができるためである。
【００４６】
この保護シート１６は、図１（の右側）に示すように、特に、構造物１の床面（図示の実施の形態では、構造物１の躯体上に設置された断熱材２の床面）から壁面１ｂにわたって連続して立ち上げて敷設する。この場合、特に、壁面１ｂが外部に向かって凹んでいる入隅部においては、保護シート１６を折り曲げることにより、一方、壁面１ｂが内部に向かって突出している出隅部においては保護シート１６の一部をＶ字状等に切り取って出隅部に跨らせた上で、露出した出隅部の角を、図示しない伸縮性を有する防水テープ等により覆って、敷設する。
【００４７】
また、このように、構造物１の躯体の床面を囲む周囲の壁面１ｂのほぼ全てにわたって（後述するドレイン等に連結される場所を除く）、保護シート１６を床面から連続して立ち上げることにより、保護シート１６を、防水シート１２を敷設すべき構造物１に箱状（受け箱状）に設置することができ、これにより、防水シート１２のうち、特に、構造物１の床面から壁面１ｂにかけての立ち上がり部や入隅部、出隅部に亀裂や破損等が生じても、保護シート１６が受け皿となって構造物１や室内への漏水を防止することができる。
【００４８】
また、この箱状に設置された保護シート１６内に、床面に敷設すべき防水シート１２を敷設することにより、図１に示すように、保護シート１６の端部を、床面に敷設すべき防水シート１２よりも上方にまで達するように設置することができ、床面に敷設すべき防水シート１２のいずれの箇所から雨水が漏洩しても、保護シート１６が受け皿となって構造物等への漏水を確実に防止することができる。
【００４９】
（２．防水シートの敷設及び保護シートの固定）
上記のようにして、保護シート１６を構造物１の躯体（図示の実施の形態では、断熱材２）上に敷設した後は、この保護シート１６上に、防水シート１２を敷設するが、この場合、上記のように、防水シート１２を、シート接合部材１４に接合して構造物１に固定するとともに、このシート接合部材１４の設置により同時に上記の保護シート１６をも構造物１に固定することが望ましい。
【００５０】
具体的には、まず、図１に示すように、構造物１の屋上等の躯体や断熱材２上に、保護シート１６を設置した上で、端末（縁部）においては、帯状のシート接合部材１４を設置し、端末以外の箇所には、ディスク状のシート接合部材１４を、所定のピッチで設置する。
【００５１】
なお、これらのシート接合部材１４は、その形状や大きさに特に限定はなく、その設置箇所に適合させて任意の形状や大きさとすることができる。例えば、構造物１の躯体の端末に設置する場合には略Ｌ字形状や帯型等の板状の形状に形成し、また、構造物１の躯体の端末を除いた箇所に設置する場合には円形等を有するディスク状の形状に形成して構造物委１の躯体（断熱材２）上に点在させて設置することができる。
【００５２】
また、特に、本発明においては、図１及び図２に示すように、特に断熱材２上に設置されるシート接合部材１４については、その裏面にシール材１８を取り付けた上で、当該シール材１８が取り付けられたシート接合部材１４を、保護シート１６上の所定の箇所に設置する。その上で、特に図２に示すように、このシート接合部材１４を、シート接合部材１４、シール材１８、保護シート１６を貫通するビス、釘、ボルト等の固定具２０により、構造物１の躯体上に敷設された断熱材２を介して構造物１に固定することにより、シート接合部材１４を設置する。
【００５３】
この場合、固定具２０の締め付けにより、シート接合部材１４をシール材１８を介して構造物１（上の断熱材２）に押しつけることにより、シート接合部材１４と同時に、保護シート１６も構造物１（上の断熱材２）に固定される。このため、シール材１８によって固定具２０が貫通する穿孔部からの漏水も防止することができ、防水性をより高めることができるとともに、特に、この固定具２０の締め付けが、機械式固定工法においては、保護シート１６の有無にかかわらず必要な作業であるため、保護シート１６の固定のために特別な作業を付加する必要がなく、従来からの機械式固定工法とほぼ変わらぬ工程数、部材数で防水性を高めることができるので、手間とコストを嵩張らせることなく簡易に防水性を高めることができる。
【００５４】
この場合、シール材１８は、定形シール材でも不定形シール材であっても良く、定形シール材としては発泡樹脂テープ、ブチルテープが好適なものとして挙げられ、不定形シール材としては変性シリコーン樹脂製シーリング材やウレタン樹脂製シーリング材が好適なものとして挙げられる。また、発泡樹脂テープとしてはスポンジテープが特に好適なものとして挙げられる。
【００５５】
一方、シート接合部材１４は、その表面において、防水シート１２と接合されるため、溶剤や高周波によって防水シート１２と溶着することができるように形成する。即ち、シート接合部材１４は、防水シート１２と溶着することができる態様、具体的には、合成樹脂板や、鋼板を芯材としてその表面に合成樹脂を被覆した合成樹脂被覆鋼板等から形成することができる。この鋼板としては、例えば、ステンレス、鉄、銅、アルミニウム等からなるものを好適に使用することができる。
【００５６】
また、このシート接合部材１４やその表面の被覆材に使用する合成樹脂としては、例えば、ポリ塩化ビニル樹脂、ポリオレフィン系樹脂、エチレン酢酸ビニル共重合体等の軟質の合成樹脂や、合成ゴム系の材質を選択することができるが、その中でも、特に、ポリ塩化ビニル樹脂は、溶剤溶着性や熱融着性に優れるため好適である。なお、このシート接合部材１４は、合成樹脂被覆鋼板から形成する場合には、プレス成型加工機等によりプレス加工して形成することができ、合成樹脂板として形成する場合には射出成形等の適宜の樹脂加工方法により形成することができる。
【００５７】
なお、この防水シート１２としては、防水性を有する樹脂製のシートであれば特に限定なく使用することができ、上述したシート接合部材１４の表面と同じく、例えば、ポリ塩化ビニル樹脂、ポリオレフィン系樹脂、エチレン酢酸ビニル共重合体等の軟質の合成樹脂や、合成ゴム系の材料等から形成されたものを使用することができるが、その中でも、特に、ポリ塩化ビニル樹脂が、溶剤溶着性や熱融着性に優れるため好適である。
【００５８】
この防水シート１２も、上述した保護シート１６と同様に、長尺の帯状に形成されているため、敷設箇所に合わせて複数用意し、これらの複数の防水シート１２を、端部を部分的に重畳させながら、構造物１の床面（図示の実施の形態では、断熱材２）上にテンションをかけながら敷き詰めていく。
【００５９】
この場合、防水シート１２のうち、シート接合部材１４に重畳する部分については、シート接合部材１４に接合するが、その接合方法には、特に限定はなく、例えば、防水シート１２の上からシート接合部材１４内に溶剤を注入した後、押圧したり、あるいは、防水シート１２を重ねる直前にシート接合部材１４に溶剤を塗布した上で防水シート１２をシート接合部材１４上に展開して、押圧することにより、接合することができる。その他、熱による溶着、高周波による融着や、接着剤による接着等によって、接合することもできる。このように、防水シート１２を、構造物１に直接ではなく、シート接合部材１４の表面に接合しているため、構造物１の躯体の亀裂や振動、目地の挙動等の影響を受けることが少なく、地震等の際にも防水性を確保することができる。
【００６０】
一方、防水シート１２同士の重畳部分については、保護シート１６と同様に、敷設後に、あるいは、敷設と同時並行で、溶剤、熱、超音波等によって溶着、融着したり、又は、接着剤、テープにより相互に連結することにより、複数の防水シート１２を防水性を確保しながら敷設することができる
【００６１】
この場合、特に、本発明では、図１及び図２に示すように、防水シート１２を保護シート１６の直上に（保護シート１６を防水シート１２の直下に）敷設する点にも特徴がある。すなわち、例えば、下から順に、保護シート１６、断熱材２、防水シート１２の配列ではなく、保護シート１６及び防水シート１２のいずれをも、断熱材２の上に敷設し、防水シート１２を、断熱材２等の床材を介さずに保護シート１６の上に敷設する。これにより、シート接合部材１４に接合された箇所を除いては、保護シート１６が防水シート１２の直下に配置されており、構造物１のみならず、断熱材２等の床材への漏水も防止することができ、これらの床材への影響も抑制することができる点で有益である。
【００６２】
（３．ドレインへの連結）
また、本発明では、図１及び図３に示すように、防水シート１２のみならず、保護シート１６も、構造物１に設置されたドレイン部材２２に連結させることが望ましい。これにより、何らかの原因で防水シート１２の下側に漏洩した雨水も保護シート１６を介して、ドレイン部材２２に連結された排水管３へ排水することができる。
【００６３】
具体的には、図１及び図３に示すように、ドレイン部材２２を、構造物１に固定されて保護シート１６に連結される第１ドレイン部材２２Ａと、この第１ドレイン部材２２内に挿入されて防水シート１２に連結される第２ドレイン部材２２Ｂとから構成し、通常は、防水シート１２上の雨水を第２ドレイン部材２２Ｂを介して排水管３へ排水し、万が一、防水シート１２の亀裂、破損等を原因として保護シート１６へ雨水が漏洩した場合であっても、その雨水を第１ドレイン部材２２Ａを介して排水管３に排出することができ、構造物１、断熱材２等への雨水の浸入を防止することができる。
【００６４】
この場合、保護シート１６を介した第１ドレイン部材２２Ａによる排水を確保するため、図１及び図３に示すように、第１ドレイン部材２２Ａと第２ドレイン部材２２Ｂとの間に、第２ドレイン部材２２Ｂを第１ドレイン部材２２Ａよりも小径に形成する等して、排水路２４を形成する。
【００６５】
また、この第１ドレイン部材２２Ａと保護シート１６との連結は、特に、図３に示すように、保護シート１６上に、裏面にシール材１８が取り付けられた第１ドレイン部材２２Ａのフランジ部２２ａを配置し、シール接合部材１４の設置の場合と同様に、この第１ドレイン部材２２Ａのフランジ部２２ａに固定具２０を貫通させて第１ドレイン部材２２Ａのフランジ部２２ａをシール材１８を介して構造物１に押しつけることにより、保護シート１６を構造物１に固定した上で、更に、この保護シート１６の端部と第１ドレイン部材２２Ａの第１フランジ部２２ａとに跨って、防水テープ等の防水性部材２６を設置することにより、行うことができる。
【００６６】
これにより、例えば、防水シート１２の亀裂や破損等の何らかの原因で防水シート１２の下側に漏洩した雨水も、保護シート１６を介して第１ドレイン部材２２Ａに案内して排水管２４へ排水することができ、構造物１内に雨水が浸入することを防止することができるとともに、特に、シール材１８により、固定具２０が貫通する穿孔部を止水することもできる。なお、排水性を確保するために、構造物１の床面上に敷設される断熱材２は、その上面がドレイン部材２２に向けて若干傾斜して形成される。
【００６７】
一方、第２ドレイン部材２２Ｂと防水シート１２との連結は、特に、図３に示すように、第２ドレイン部材２２Ｂのフランジ部２２ｂを、第１ドレイン部材２２Ａのフランジ部２２ａにリベット２８により固定した上で、シート接合部材１４への連結の場合と同様に、防水シート１２を、第２ドレイン部材２２Ｂのフランジ部２２ｂに重ね合わせて、溶剤、熱、超音波等により溶着、融着、接着等することにより、行うことができる。この場合、構造物１への雨水の浸入を可及的に防止すべく、防水シート１２は、図３に示すように、リベット２８を覆うように敷設することが好ましい。これにより、防水シート１２上に降り注ぐ等した雨水は、第２ドレイン部材２２Ｂ内に流入し、排水管３へ排水される。
【００６８】
また、この場合、特に図３に示すように、第２ドレイン部材２２Ｂと第１ドレイン部材２２Ａに固定するリベット２８の周囲にもシール材３０（シール材１８と同質のものを使用することができる。）を配置することが望ましい。これにより、リベット２８が貫通する穿孔部を止水することができるとともに、フランジ部２２ａ、２２ｂ同士のすれや損傷をも防止することができ、更には、第２ドレイン部材２２Ｂのフランジ部２２ｂと第１ドレイン部材２２Ａの第１フランジ部２２ａとの間に間隙が形成され、第２ドレイン部材２２Ｂと第１ドレイン部材２２Ａとの間から第１ドレイン部材２２Ａ内に雨水が流入することができ、保護シート１６を介した第１ドレイン部材２２Ａによる排水も確保することができる。なお、このリベット２８は、ドレイン部材２２の位置ずれ等が防止できる程度の設置数を設定すれば足りる。
【００６９】
このようにドレイン部材２２は、シート接合部材１４と同様に、防水シート１２や保護シート１６と連結されるため、シート接合部材１４と同様の材質から形成することが望ましい。すなわち、ドレイン部材２２は、鋼板を芯材として加工されたものが好ましく、特に鋼板の表面に合成樹脂を被覆したいわゆる合成樹脂被覆鋼板からなるものであることが好ましい。さらに加工後にディッピング等により、ドレイン部材２２の全面にわたり合成樹脂を被覆したものであってもよい。この合成樹脂としては、接合対象となる防水シート１２や保護シート１６と同種の樹脂を使用することが好ましい。このような合成樹脂とすることにより、第１ドレイン部材２２Ａと保護シート１６との接合、第２ドレイン部材２２Ｂと防水シート１２との接合の際に、溶剤による溶着作業、熱による融着作業が容易となり、防水の長期の信頼性が向上するためである。
【産業上の利用可能性】
【００７０】
本発明は、特に風雨に曝されるオフィスビルや学校の校舎等の事業用の建造物やマンション等の居住用の建造物の屋根やベランダ、バルコニー等の防水性が要求される箇所に広く適用することができる。
【符号の説明】
【００７１】
１  構造物
１ｂ  構造物の壁面
２  断熱材
３  排水管
１０  防水構造
１２  防水シート
１４  シート接合部材
１６  保護シート
１８  シール材
２０  固定具
２２  ドレイン部材
２２Ａ  第１ドレイン部材
２２ａ  第１ドレイン部材のフランジ部
２２Ｂ  第２ドレイン部材
２２ｂ  第２ドレイン部材のフランジ部
２４  排水路
２６  防水部材
２８  リベット
３０  シール材
【図１】
0005521527.tif 000002
【図２】
0005521527.tif 000003
【図３】
0005521527.tif 000004